(57)【要約】【課題】１個の被接触端子（接触端子）で複数の機能を実現させる際の接続利便性に配慮するとともに、誤接触を回避する。【解決手段】複合接触端子構造は、信号の特性に応じて接触面に段差が設けられた被接触端子５（５０ａ〜５０ｆ）と、段差が設けられた接触面のそれぞれに接触する突起状の接触端子（６０ａ〜６０ｆ）と、により構成され、被接触端子５（５０ａ〜５０ｆ）は、例えば携帯電子機器１の端部に形成され、接触端子（６０ａ〜６０ｆ）は、例えば卓上ホルダ３に形成される。【選択図】図２
2008166066.tif 000002
【特許請求の範囲】
【請求項１】
電気信号の特性に応じて接触面に段差が設けられた被接触端子と、
前記段差が設けられた接触面のそれぞれに接触する突起状の接触端子と、
を備えた
ことを特徴とする複合接触端子構造。
【請求項２】
前記被接触端子は、
携帯電子機器本体の端部に形成される
ことを特徴とする請求項１に記載の複合接触端子構造。
【請求項３】
前記接触端子は、
前記携帯電子機器本体を充電するとともに、前記携帯電子機器本体が持つ機能の少なくとも一つを実行する機能部品が実装された、卓上ホルダの一部に形成される
ことを特徴とする請求項１または２に記載の複合接触端子構造。
【請求項４】
前記段差が設けられた接触面の一つに受電用の接触端子が接触し、当該接触面と、前記受電用の接触端子に隣接して配置される他の接触端子が接触する接触面との間に、電気的な絶縁部を設ける
ことを特徴とする請求項２または３に記載の複合接触端子構造。
【請求項５】
前記段差を構成する凹部の接触面に形成される受電用の接触端子を前記接触面から分離して交換自在に形成することを特徴とする請求項１に記載の複合接触端子構造。
【請求項６】
前記段差を構成する凹部の接触面に、凸形状の電極端子構造を持つ外部スピーカユニットを接続して位置決め固定することを特徴とする請求項１に記載の複合接触端子構造。
【請求項７】
電気信号の特性に応じて接触面に段差が設けられた受電端子を含む被接触端子が端部に形成された携帯電子機器本体と、前記携帯電子機器本体が装着されたときに前記段差が設けられた接触面のそれぞれに接触する充電端子を含む機能端子が形成された卓上ホルダとを備え、
前記携帯電子機器本体は、
前記卓上ホルダに装着されたときに前記卓上ホルダに実装される機能部品を駆動するか否かについてのユーザ設定に基づき、前記段差を構成する受電端子への前記充電端子の接触が検知されたことを契機に前記機能部品の駆動を制御する
ことを特徴とする携帯電子機器。
【請求項８】
前記携帯電子機器本体、もしくは前記卓上ホルダの少なくとも一方に、短絡保護回路を付加する
ことを特徴とする請求項７に記載の携帯電子機器。
【発明の詳細な説明】
【技術分野】
【０００１】
本発明は、例えば、携帯電話機と、当該携帯電話機が主に充電のために装着されるスピーカ内蔵の卓上ホルダとの間に用いて好適な、複合接触端子構造および携帯電子機器に関する。
【背景技術】
【０００２】
図７は、従来における一般的な卓上ホルダの構成例を示す斜視図であり、図８はその断面図である。
【０００３】
図７、図８に示されるように、卓上ホルダは、携帯電子機器としての携帯電話機１を装着できる収容空間２が形成された卓上ホルダ本体３と、当該卓上ホルダ本体３内に配設された基板４と、収容空間２内へ突出した携帯電話機１の受電端子５に当接可能となるように基板４に半田等により取り付けられた給電用端子６と、給電用の接続プラグ７が接続されるよう基板４に半田等で取り付けられたコネクタ８と、卓上ホルダ本体３の給電用端子６とは反対側に備えて収容空間２内へ突出し、かつ、携帯電話機１の係合溝９に係合する爪部１０と、により構成される。
【０００４】
卓上ホルダ本体３は、上ケース３ａ下ケース３ｂとを一体に組み付けてなり、また、爪部１０は、上ケース３ａ内にピン１１を中心として回動自在となるように枢支されたロックアーム１２の先端に一体に形成されており、当該ロックアーム１２は、スプリング１３の付勢力により、図９中、ピン１１を中心に反時計方向へ回動する方向に付勢され、これにより、上ケース３ａの小孔１４から爪部１０が所定量だけ突出するようになっている。
【０００５】
なお、図７、図８中、符号２０で示されるパーツは、卓上ホルダ３における収容空間２内面側に穿設されたリブであり、収容空間２に携帯電話機１を装着した際、携帯電話機１の溝部２１にリブ２０が係合するようになっている。
【０００６】
携帯電話機１の充電を行なう際には、アダプタコード１７の接続プラグ７を卓上ホルダ本体３の上ケース３ａに穿設された挿入穴１８からコネクタ８に接続し、かつ、ＡＣアダプタ１６のＡＣ金属端子１５を給電用コンセントに接続した状態で、卓上ホルダ３の上ケース３ａの収容空間２に携帯電話機１を嵌合するようにする。
このことにより、給電用端子６に携帯電話機１の受電端子５が当接し、かつ、携帯電話機１の溝部２１にリブ２０が係合するとともに、上ケース３ａの小孔１４から所定量だけ突出している爪部１０がスプリング１３の付勢力に抗して小孔１４内に一旦押し込まれ、これによれば、携帯電話機１の収容空間内への挿入が許可され、当該形携帯電話機１が所定の位置まで挿入されると、爪部１０がスプリング１３の付勢力により上ケース３ａの小孔１４から再び所定量だけ突出し、携帯電話機１の係合溝９に係合し、携帯電話機１が収容空間２から簡単に抜けないようになり、この状態で、携帯電話機１に内蔵された電池への充電が行なわれる。
【０００７】
充電完了後には、携帯電話機１を卓上ホルダ３から多少力を入れて持ち上げるようにすると、携帯電話機１の係合溝９に係合している爪部１０が、スプリング１３の付勢力に抗して小孔１４内に言ったか押し込まれ、これにより、携帯電話機１の収容空間２内からの離脱が許可され、当該携帯電話機１が卓上ホルダ３内から取り外される。
【０００８】
一方、携帯電話機１は、高性能化が目覚しく、通話やメールは勿論のこと、インターネットに接続することにより、画像や音楽をダウンロードにより取得することができ、その結果、高画質、高音質で視聴することが可能になった。携帯時はもとより家庭内においても視聴する機会が増えている。このため、携帯電話機１の充電用に使用される卓上ホルダに高品質のスピーカを取り付けておけば、携帯電話機１を卓上ホルダに装着するだけで充電の有無に関わらず、音楽を高音質で視聴することができる。
【０００９】
上記したように、携帯電子機器を卓上ホルダに装着して画像や音声を視聴する際の携帯電子機器もしくは卓上ホルダに関する技術は従来から多数出願されており、例えば、小型テレビ受像機において、充電端子とスピーカ端子を別々に設けて充電器に載置し、卓上においても使用を可とするもの（例えば、特許文献１参照）、携帯電子機器のスピーカから出力される音を音響的に導く構造を卓上ホルダに持たせ、高品質で十分な音量で音楽を視聴できるもの（例えば、特許文献２参照）が知られている。
【特許文献１】特開平９−１２１３１７号公報
【特許文献２】特開２００５−１３６８９５号公報
【発明の開示】
【発明が解決しようとする課題】
【００１０】
上記した特許文献１、２に開示された技術によれば、ユーザは、卓上ホルダに取り付けられたスピーカ、もしくは携帯電子機器のスピーカから出力される音を音響的に導く構造により、家庭に居ながらでも高品質の音楽を楽しむことができる。
【００１１】
しかしながら、いずれの技術も、携帯電子機器側の端子と卓上ホルダ側の端子とが各々複合機能端子構造を採るにもかかわらず、その端子構造に関する具体的な記述は少なく、例えば、携帯電子機器を卓上ホルダに装着するとき、携帯電子機器側に設けられる被接触端子（受電端子）、または卓上ホルダに設けられる接触端子（給電端子）の位置ずれが発生し、他端子に誤って触れてしまうことも考えられるがこのための対策に関する記述がない。このような誤接触が発生すれば機器を破損することもあり、特に、充電端子のような大電力を扱う部分の端子の場合は安全面での配慮が必要になる。また、携帯電子機器と卓上ホルダ間の接触端子構造についての接続利便性に関する記載も一切無い。
【００１２】
本発明は上記した課題を解決するためになされたものであり、１個の被接触端子（接触端子）で複数の機能を実現させる際の接続利便性に配慮するとともに、誤接触を回避することのできる、複合接触端子構造および携帯電子機器を提供することを目的とする。
【課題を解決するための手段】
【００１３】
上記した課題を解決するために本発明の第１の観点の複合接触端子構造は、信号の特性に応じて接触面に段差が設けられた被接触端子と、前記段差が設けられた接触面のそれぞれに接触する接触端子と、を備えている。
【００１４】
また、本発明の複合接触端子構造において、前記被接触端子は、携帯電子機器本体の端部に形成されてもよい。
【００１５】
また、本発明の複合接触端子構造において、前記接触端子は、前記携帯電子機器本体を充電するとともに、前記携帯電子機器本体が持つ機能の少なくとも一つを実行する機能部品が実装された、卓上ホルダの一部に形成されてもよい。
【００１６】
また、本発明の複合接触端子構造において、前記段差が設けられた接触面の一つに受電用の接触端子が接触し、当該接触面と、前記受電用の接触端子に隣接して配置される他の接触端子が接触する接触面との間に、電気的な絶縁部を設けてもよい。
【００１７】
また、本発明の複合接触端子構造において、前記段差を構成する凹部の接触面に形成される受電用の接触端子を前記接触面から分離して交換自在に形成してもよい。
【００１８】
また、本発明の複合接触端子構造において、前記段差を構成する凹部の接触面に、凸形状の電極端子構造を持つ外部スピーカユニットを接続して位置決め固定してもよい。
【００１９】
本発明の第２の観点の携帯電子機器は、電気信号の特性に応じて接触面に段差が設けられた受電端子を含む被接触端子が端部に形成された携帯電子機器本体と、前記携帯電子機器本体が装着されたときに前記段差が設けられた接触面のそれぞれに接触する充電端子を含む機能端子が形成された卓上ホルダとを備え、前記携帯電子機器本体は、前記卓上ホルダに装着されたときに前記卓上ホルダに実装される機能部品を駆動するか否かについてのユーザ設定に基づき、前記段差を構成する受電端子への前記充電端子の接触が検知されたことを契機に前記機能部品の駆動を制御する。
【００２０】
本発明の携帯電子機器において、前記携帯電子機器本体、もしくは前記卓上ホルダの少なくとも一方に、短絡保護回路を付加してもよい。
【発明の効果】
【００２１】
本発明によれば、１個の被接触端子（接触端子）で複数の機能を実現させる際の接続利便性に配慮するとともに、誤接触を回避することができる。
【発明を実施するための最良の形態】
【００２２】
図１は、本発明の実施の形態に係る複合接触端子構造が採用される携帯電子機器１と卓上ホルダ３の外観構造を示す図である。
【００２３】
図１に示されるように、携帯電子機器１を卓上ホルダ３に装着することにより、携帯電子機器１の端面に形成される接触面から成る被接触端子（受電端子５）と、卓上ホルダ３に形成される突起状の接触端子（給電端子６）が接触し、このことにより充電が開始される。また、受電端子５と給電端子６には、例えば、充電用の他に、例えば、音声再生用としての機能を持たせるために、携帯電子機器１側の被接触端子５（接触面）を複数の接触面５０ａ〜５０ｆに分割するとともに、それぞれの接触面を段差構造としてある。また、対向配置される卓上ホルダ３側の接触端子にも長さの異なる複数の突起状の接触端子６０ａ〜６０ｆを持たせた構成としてある。
【００２４】
上記した段差構造を持つ被接触端子（受電端子５）、および長さが異なる突起状の接触端子（給電端子６）の詳細は、図２用いて後述する。また、図１中、符号４０で示されるパーツは、携帯電子機器１の内蔵スピーカ、符号７０で示されるパーツは、機能部品として卓上ホルダ３に取り付けられた高品質の卓上スピーカを示す。
【００２５】
図２は、本発明の実施の形態に係る複合接触端子構造を示す図であり、携帯電子機器１が卓上ホルダ３に装着されたときに受電端子５と給電端子６が規定どおり接触した場合（ａ）と、何らかの理由によりずれて接触した場合とを対比して示してある。
【００２６】
図２（ａ）に示されるように、本発明の複合接触端子構造によれば、携帯電子機器１の端面に形成される被接触端子（受電端子５）の接触面に、凹凸による段差を設け（以降、それぞれの接触面を被接触端子５０ａ〜５０ｃという）、また、対向する卓上ホルダ３に設けられる接触端子（給電端子６）については、被接触端子における接触面の凹凸に合わせて長さの異なる突起状の接触端子６０ａ〜６０ｃを設けている。
また、段差が設けられた接触面の一つ（被接触端子５０ａ）に給電用の接触端子６０ａが接触し、当該被接触端子５０ａと、給電用の接触端子６０ａに隣接して配置される他の突起状の接触端子６０ｂ、６０ｃが接触する被接触端子５０ｂ、５０ｃ（接触面）との間に、電気的な絶縁部５１、５２が設けられている。
【００２７】
このため、図２（ｂ）に示されるように、携帯電子機器１が卓上ホルダ３に装着されたときに受電用の被接触端子５０ａと給電用の接触端子６０ａとの位置がずれ、規定の位置に接触しなかった場合であっても、絶縁部５１、５２により、給電用の接触端子６０ａが他の被接触端子５０ｂ、５０ｃと誤接触することはない。勿論、他の被接触端子５０ｂ、５０ｃや接触端子６０ｂ、６０ｃとの誤接触も回避される。
【００２８】
参考のため、図９（ａ）（ｂ）に、従来における複合接触端子構造が示されている。図９（ｂ）に示されるように従来の複合接触端子構造によれば、被接触端子５に段差が形成されていないため、携帯電子機器１を卓上ホルダ３に装着時、被接触端子５０ａ〜５０ｃと、接触端子６０ａ〜６０ｃが仮にずれて接触した場合、本来接触が禁じられている他端子に接触（例えば、給電用の接触端子６０ａが音声再生用の被接触端子５０ｃに接触）することがあり、安全上好ましくない。
【００２９】
これに対し、図２（ａ）（ｂ）に示した本発明の実施の形態に係る複合接触端子構造によれば、携帯電子機器１の端面に形成される被接触端子（受電端子６）を、充電用、音声再生用等、信号の特性に応じて接触面に段差を設け、それぞれを被接触端子５０ａ〜５０ｃとして構成し、また、対抗する卓上ホルダ３に形成される接触端子（給電端子５）を、被接触端子の接触面に合わせて長さの異なる突起状の接触端子６０ａ〜６０ｃとして構成することにより、携帯電話機１を卓上ホルダ３に装着した時、被接触端子５０ａ〜５０ｃと、接触端子６０ａ〜６０ｃが仮にずれて接触した場合であっても誤接触は回避される。
また、上記した実施の形態によれば、受電端子５（本来の受電端子５０ａとスピーカ端子５０ｂ、５０ｃ）の清掃が一度に出来、充電性能と音響性能との維持が同時に可能となる。更に、段差を形成する凹部で接触端子６０ａの位置決めが可能になることから、受電端子５に隣接する凸部の端子幅を狭くすることも可能といった派生的効果も得られる。
【００３０】
図３は、本発明の実施の形態に係る複合接触端子構造が採用される携帯電子機器１と卓上ホルダ３の内部構成を示すブロック図である。
ここでは、携帯電子機器１として携帯電話機が例示されている。携帯電話機１は、図３に示されるように、制御部１００と、通信部１１０と、操作部１２０と、表示部１３０と、記憶部１４０と、オーディオ処理部１５０と、電源制御部１６０と、アンプ１７０と、短絡保護回路１８０と、内蔵スピーカ４０とにより構成される。
【００３１】
制御部１００は、本発明の実施の形態に係る携帯情報機器の制御中枢となり、記憶部１４０に格納されたアプリケーションプログラムを実行して各制御ブロック１１０〜１７０の制御を行なう他に、ここでは、特に、携帯電話機１が卓上ホルダ３に装着されたときに、卓上ホルダ３に実装される機能部品（ここでは卓上スピーカ７０）を駆動するか否かについてのユーザ設定に基づき、段差を構成する受電端子５への給電端子６の接触が検知されたことを契機に卓上スピーカ７０の駆動を制御する携帯電子機器本体として機能する。詳細は後述する。
通信部１１０は、不図示の基地局のいずれかによって割り当てられるチャネルを介し、当該基地局との間で無線信号の送受信を行う。ここでは、例えば、インターネットと接続することによりダウンロードを行い取得されるＭＰ３（Moving Picture Experts Group Audio Layer 3）等の高品質な音楽データを制御部１００に供給する。
【００３２】
操作部１２０は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１００に入力する。
【００３３】
表示部１３０は、例えば、液晶表示パネルや有機ＥＬ（Electro-Luminescence）パネルなどの表示デバイスを用いて構成されており、制御部１２０から供給される映像信号に応じた画像を表示する。例えば、発信時における発信先の電話番号、着信時における着信相手の電話番号、受信メールや送信メールの内容、日付、時刻、バッテリ残量、発信成否、待ち受け画面などの各種の情報や画像を表示する。
【００３４】
記憶部１４０は、制御部１００において処理に利用される各種のデータを記憶する。例えば、制御部１００が実行するアプリケーションプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。ここでは、更に、通信部１１０により取得したＭＰ３等の音楽データも保持する。
上記した記憶部１４０は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３５】
オーディオ処理部１５０は、制御部１００を介して供給されるＭＰ３等の高音質の音楽データを再生用のオーディオ信号に変化し、アンプ１７０経由で内蔵スピーカ４０へ出力する他、携帯電話機１が卓上ホルダ３に装着され充電が検知されたときに、被接触端子５０ｂ〜５０ｅ（それぞれ、Ｌ＋、Ｌ−、Ｒ＋、Ｒ−）を介し、卓上ホルダ３に実装された卓上スピーカ７０へ再生信号として供給する。
また、オーディオ処理部１５０は、内蔵スピーカ４０から出力される音声信号や不図示のマイクロフォンにおいて入力される音声信号の処理も行う。すなわち、マイクから入力される音声を増幅し、アナログ／デジタル変換を行い、更に符号化等の信号処理を施し、デジタルの音声データに変換して制御部１００に出力する。
また、オーディオ処理部１５０は、制御部１００から供給される音声データに復号化、デジタル／アナログ変換、増幅等の信号処理を施し、アナログの音声信号に変換して内蔵スピーカ４０に出力する。
【００３６】
電源制御部１６０は、電池を駆動源とし、上記した各制御ブロック１１０〜１７０に電力を供給する。また、携帯電話機１を卓上ホルダ３に装着したとき、卓上ホルダ３により給電された電力を、本来の充電用の受電端子である被接触端子５０ａ、５０ｆにより得て電池を充電する。このとき、電源制御部１６０は、制御部１００に対し、携帯電話機１が現在充電中であることを示す状態信号を供給する。
電源制御部１６０には短絡保護回路１８０が接続される。短絡保護回路１８０は、万が一の電源短絡に備えて用意されるものである。
【００３７】
一方、卓上ホルダ３は、携帯電話機１の充電に必要な機器用電源部３１０と、音楽再生に必要なアンプ用電源部３２０と、アンプ３３０と、卓上スピーカ７０とを有している。携帯電話機１が卓上ホルダ３に装着された場合、接触端子としての給電端子（＋）６０ａと、ＧＮＤ端子６０ｆを介して携帯電話機１に充電用の電力を供給する。
なお、卓上ホルダ３においても万が一の電源短絡に備え、機器用電源部３１０に短絡保護回路３４０が接続される。また、機器用電源部３１０およびアンプ用電源部３２０にはＡＣアダプタ１６が接続されている。
【００３８】
携帯電話機１で上記したＭＰ３等の音楽データを聞く場合、ユーザは、操作部１２０を操作することにより音楽再生の指示を行う。制御部１００は、その操作に応じてオーディオ処理部１５０を制御し、オーディオ処理部１５０は、記憶部１４０に格納された音楽データをデコードして音楽の再生を開始する。オーディオ処理部１５０により生成される再生信号は、アンプ３３０を経由して卓上スピーカ７０により再生出力される。また、不図示のイヤホンジャックにイヤホンを接続することで、イヤホンからも再生された音楽を聴くことができる。
【００３９】
一方、携帯電話機１を充電する場合、携帯電話機１を卓上ホルダ１に装着すると、図２（ａ）（ｂ）に示されるように、卓上ホルダ３の給電端子（ＧＮＤ）６０ｆと携帯電話機１の受電端子（ＧＮＤ）５０ｆとが接触し、また、給電端子（＋）６０ａと携帯電話機１の受電端子（＋）５０ａとが接触するため、携帯電話機１は、電源制御部１６０により充電が制御される。
また、携帯電話機１を卓上ホルダ３に装着した状態で音楽を再生する場合、オーディオ処理部１５０で生成される再生信号は、携帯電話機１の受電端子５（５０ｂ〜５０ｅ）を介し、Ｌ＋、Ｌ−、Ｒ＋、Ｒ−のそれぞれが、卓上ホルダ３の給電端子６（６０ｂ〜６０ｅ）のそれぞれへ入力される。給電端子６（６０ｂ〜６０ｅ）のそれぞれに入力された再生信号はアンプ３３０で増幅され、卓上スピーカ７０により出力再生される。尚、アンプ３３０の電源はアンプ用電源部３２０によって生成される。
【００４０】
このように、本来、携帯電話機１を充電するために設けられる卓上ホルダ３に、高品質な卓上スピーカ７０と、アンプ３３０と、アンプ用電源部３２０とを設け、更に、受電端子５として付加される再生用の受電端子５０ｂ〜５０ｅを介して携帯電話端末１から音楽の再生信号を入力できるようにし、一方、携帯電話機１では、オーディオ処理部１５０でデコードした音楽データを受電端子５０ｂ〜５０ｅから卓上ホルダ３へ出力できるように構成することで、携帯電話機１を卓上ホルタ３に装着するだけで卓上ホルダ３に実装された卓上スピーカ７０を介して高品質の音楽再生が可能になり、家庭内で視聴することが可能になる。
【００４１】
なお、上記した本発明の実施の形態によれば、卓上ホルダ３に携帯電話機１を装着し、操作部１２０を操作することにより音楽データの再生を行ったが、操作部１２０を操作することにより携帯電話機１の表示部１３０にあらかじめＵＩ（User Interface）設定画面を表示し、携帯電話機１が卓上ホルダ３に装着されたときに、卓上スピーカ７０を鳴動させるか否かについて初期設定を行い、ユーザ設定に基づき、卓上ホルダ３での音楽再生を制御してもよい。図４に、上記した機能実現のための制御部１００の内部構成が機能展開され示されている。
【００４２】
図４に示されるように、制御部１００は、主制御部１０１と、充電検知部１０２と、ＵＩ管理部１０３とにより構成される。
充電検知部１０２は、電源制御部１６０から供給される携帯電話機１が充電中であることを示す状態信号を検知して主制御部１００へ供給する。ＵＩ管理部１０３は、操作部１２０からの特定の操作に基づき表示部１３０に対して上記した初期設定画面を表示してユーザの選択入力(携帯電話機１が卓上ホルダ３に装着されたときに、卓上スピーカ７０を鳴動させるか否か)を促し、ユーザ入力を取得してその内容を主制御部１０１へ供給する。このことにより、主制御部１０１は、充電検知部１０２により充電が検知されたことを契機に、設定画面に設定された内容にしたがい、卓上スピーカ７０による音楽再生を制御することができる。
【００４３】
図５、図６は、本発明の実施の形態に係る複合接触端子構造の応用例を示す図である。前者（図５）は、段差を構成する凹部の接触面（携帯電話機１）に形成される受電端子５０ａを接触面から分離して交換自在に形成したものであり、後者（図６）は、段差を構成する凹部の接触面に、凸形状の電極端子構造を持つ外部スピーカユニット８０を接続して位置決め固定するように構成したものである。
前者によれば、受電端子５０ａ（ここでは、電極板２０２）が破損あるいは腐食した場合に修理交換が容易になり、また、後者によれば、外部スピーカユニット８０の取り付けが容易になり、ユーザは、違う特性を持つスピーカで再生音を聴取することができる。
【００４４】
具体的に、図５において、凹部に対応する携帯電話機１の基板２００上に伸縮ピンユニット２０１を配置し、当該伸縮ピンユニット２０１を押圧することにより、凹部に形成される電極板２０２（受電端子５０ａ）を交換自在とするものである。このことにより、修理交換の他に、清掃等についても容易になる。
【００４５】
また、図６にその断面形状ａおよび平面形状ｂが示されるように、左右一体化された外部スピーカユニット８０Ｒ、８０Ｌは、携帯電話機１の基板２００（筐体４００）の端部に形成された段差の凹凸に合わせたサイズおよび形状を有し、そのうち凸部は樹脂により形成され、また、基板２００の段差の凸部に当接する箇所にはピン構造のスピーカ端子電極８１＋、８１−を備えるものとする。当該スピーカ電極ピン８１＋、８１−は、ともに内部にスプリングが収納されており伸縮自在とする。このことにより、携帯電話機１の端部に形成される段差（凹部）を利用して外部スピーカユニット８０の位置決め固定用の穴として用い、更に、受電端子５（５０ｂ〜５０ｅ）に接続されたスピーカ端子電極８１＋、８１−を介して携帯電話機１からの再生信号を取得し出力再生することができる。
このことにより、違った特性を持つ外部スピーカユニットによる音楽再生が可能であり、他との差別化が可能である。
【００４６】
以上説明のように本発明の実施の形態によれば、１個の被接触端子（接触端子）で複数の機能を実現させる際の接続利便性に配慮するとともに、誤接触を回避することのできる、複合接触端子構造および携帯電子機器を提供することができる。
【００４７】
なお、上記した本発明の実施の形態によれば、携帯電子機器として携帯電話機１のみを例示したが、携帯電話機に限らず、ＰＤＡ（Personal Digital Assistants）、ゲーム機等にも同様に適用が可能である。また、卓上ホルダ３に実装される機能部品としてスピーカを例示したが、複合端子構造としてスピーカ端子の他に、映像端子、マイク端子、データ端子等が考えられ、したがって、これらに相当する機器の全てに応用が可能である。
【００４８】
また、本発明の携帯電子機器が持つ各構成ブロックの機能は、全てをソフトウェアによって実現しても、あるいはその少なくとも一部をハードウエアで実現してもよい。例えば、制御部１００における処理や、通信部１１０、オーディオ処理部１５０おけるデータ処理は、１または複数のプログラムによりコンピュータ上で実現してもよく、また、その少なくとも一部をハードウエアで実現してもよい。
【図面の簡単な説明】
【００４９】
【図１】本発明の実施の形態に係る複合接触端子構造が採用される携帯電子機器と卓上ホルダの外観構造を示す図である。
【図２】本発明の実施の形態に係る複合接触端子構造を示す図である。
【図３】本発明の実施の形態に係る複合接触端子構造が採用される携帯電子機器と卓上ホルダの内部構成を示すブロック図である。
【図４】本発明の実施の形態に係る携帯電子機器（制御部１００）の内部構成を機能展開して示した図である。
【図５】本発明の実施の形態に係る複合接触端子構造の応用例を示す図である。
【図６】本発明の実施の形態に係る複合接触端子構造の応用例を示す図である。
【図７】従来における一般的な卓上ホルダの構成例を示す斜視図である。
【図８】従来における一般的な卓上ホルダの構成例を示す断面図である。
【図９】従来における複合接触端子構造を示す図である。
【符号の説明】
【００５０】
１…携帯電子機器（携帯電話機）、３…卓上ホルダ、５（５０ａ〜５０ｆ）…被接触端子（受電端子（接触面））、６（６０ａ〜６０ｆ）…接触端子（給電端子）、５１、５２…電気的絶縁部、７０…卓上スピーカ、８０Ｒ、８０Ｌ…外部スピーカユニット、８１＋、８１−…スピーカ電極ピン、１００…制御部、１０１…主制御部、１０３…充電検知部、１０３…ＵＩ管理部、１５０…オーディオ処理部、１６０…電源制御部、１８０、３４０…短絡保護回路、３１０…機器用電源部、３２０…アンプ用電源部、２００…基板、２０１…伸縮ピンユニット、２０２…電極板。
【図１】
2008166066.tif 000003
【図２】
2008166066.tif 000004
【図３】
2008166066.tif 000005
【図４】
2008166066.tif 000006
【図５】
2008166066.tif 000007
【図６】
2008166066.tif 000008
【図７】
2008166066.tif 000009
【図８】
2008166066.tif 000010
【図９】
2008166066.tif 000011